(57)【特許請求の範囲】
【請求項１】
ワイヤレス通信のための装置であって、
前記装置においてローカルに、フルカウンター暗号モードプロトコル（ＣＣＭＰ）ヘッダを有する以前に受け取ったパケットを通じて取得されたＣＣＭＰ情報の第１の部分を記憶するための手段と、
パケットを受け取るための手段と、ここで、前記パケットは前記ＣＣＭＰ情報を使用して符号化されたデータフィールドを備える、
前記ＣＣＭＰ情報の前記記憶された第１の部分と、前記パケットに含まれる追加の情報とを使用して、前記データフィールドを復号するための手段と
を備え、
前記装置は、前記データフィールドを符号化するために使用される前記ＣＣＭＰ情報の第２の部分を、前記パケットに含まれる圧縮されたＣＣＭＰヘッダから取得するための、および前記データフィールドを符号化するために使用される前記ＣＣＭＰ情報の前記記憶された第１の部分を取得するための手段をさらに備えており、前記復号するための手段は、前記データフィールドを復号するために、前記ＣＣＭＰ情報の前記取得した第１の部分および第２の部分を使用するように適合されている、装置。
【請求項２】
前記パケットは、ＭＡＣヘッダと、前記ＭＡＣヘッダが通常のＭＡＣヘッダと比べてバイト数が少ないショートＭＡＣヘッダを備える旨のインジケーションとを備えている請求項１に記載の装置。
【請求項３】
前記ＣＣＭＰ情報の前記記憶された第１の部分は、前記データフィールドを暗号化するために使用されるパケット番号の第１の部分を備えており、前記パケット番号は、各送信によりインクリメントされ、
ここで、
前記パケットは、前記パケット番号の第２の部分を有するＣＣＭＰヘッダを備えているか、または、
前記復号するための手段は、前記装置に記憶された前記パケット番号の前記第１の部分と、ＭＡＣヘッダに含まれるシーケンス番号とにもとづいて、前記パケット番号を生成するように構成されているか、または、
前記装置に記憶された前記パケット番号の前記第１の部分は、前記パケット番号の最上位ビットを備えており、前記装置は、前記パケット番号のロールオーバを検出し、前記検出に応答して前記装置に記憶された前記パケット番号の前記最上位ビットを更新するための手段をさらに備える、
請求項１に記載の装置。
【請求項４】
ＣＣＭＰ情報の更新されたバージョンを有する後続のパケットを受け取るための手段と、
前記ＣＣＭＰ情報の前記記憶された一部分を更新するための手段と
をさらに備える請求項１に記載の装置か、または、
前記パケットは、予備のバイトを欠くＣＣＭＰヘッダを備え、
前記復号するための手段は、前記ＣＣＭＰヘッダに含まれる情報および前記記憶された情報を使用して前記データフィールドを復号するように構成されている請求項１に記載の装置。
【請求項５】
ワイヤレス通信のための装置であって、
カウンター暗号モードプロトコル（ＣＣＭＰ）情報を使用してデータフィールドを符号化するための手段と、
前記ＣＣＭＰ情報の第１の部分を別の装置へとシグナリングし、前記符号化されたデータフィールドを有するパケットを前記別の装置へと送信するための手段と
を備えており、
前記パケットは、前記データフィールドを符号化するために使用される前記ＣＣＭＰ情報の一部を欠いており、
前記シグナリングするための手段は、前記データフィールドを符号化するために使用される前記ＣＣＭＰ情報の第２の部分を、前記パケットに含まれる圧縮されたＣＣＭＰヘッダにおいて前記別の装置へと提供し、前記データフィールドを符号化するために使用される前記ＣＣＭＰ情報の前記第１の部分を、前記圧縮されたＣＣＭＰヘッダには含まれていない少なくとも何らかのＣＣＭＰ情報を有する以前に受け取ったパケットに含まれるフルＣＣＭＰヘッダにおいて前記別の装置へと提供するように構成されている、装置。
【請求項６】
前記パケットは、ＭＡＣヘッダと、前記ＭＡＣヘッダが通常のＭＡＣヘッダと比べてバイト数が少ないショートＭＡＣヘッダを備える旨のインジケーションとを備えている請求項５に記載の装置。
【請求項７】
前記ＣＣＭＰ情報の前記シグナリングされた第１の部分は、前記データフィールドを符号化するために使用されるパケット番号の第１の部分を備えており、前記パケット番号は、各送信によりインクリメントされ、前記パケットは、前記パケット番号の第２の部分を有するＣＣＭＰヘッダを備えている請求項５に記載の装置か、または、
ＣＣＭＰ情報の更新されたバージョンを有する後続のパケットを送信するための手段をさらに備える請求項５に記載の装置。
【請求項８】
前記パケットは、予備のバイトを欠くＣＣＭＰヘッダを備えている請求項５に記載の装置。
【請求項９】
装置によるワイヤレス通信のための方法であって、
前記装置においてローカルに、フルカウンター暗号モードプロトコル（ＣＣＭＰ）ヘッダを有する以前に受け取ったパケットを通じて取得されたＣＣＭＰ情報の第１の部分を記憶することと、
パケットを受け取ることと、ここで、前記パケットは前記ＣＣＭＰ情報を使用して符号化されたデータフィールドを備える、
前記情報のセットの前記記憶された第１の部分と、前記パケットに含まれる追加の情報とを使用して、前記データフィールドを復号することと
を備え、
前記方法は、前記データフィールドを符号化するために使用される前記ＣＣＭＰ情報の第２の部分を、前記パケットに含まれる圧縮されたＣＣＭＰヘッダから取得し、前記データフィールドを符号化するために使用される前記ＣＣＭＰ情報の前記記憶された第１の部分を取得することと、前記データフィールドを復号するために、前記ＣＣＭＰ情報の前記取得した第１の部分および第２の部分を使用することと、をさらに備える、方法。
【請求項１０】
前記パケットは、ＭＡＣヘッダと、前記ＭＡＣヘッダが通常のＭＡＣヘッダと比べてバイト数が少ないショートＭＡＣヘッダを備える旨のインジケーションとを備えている請求項９に記載の方法。
【請求項１１】
前記ＣＣＭＰ情報の前記記憶された一部分は、前記データフィールドを暗号化するために使用されるパケット番号の第１の部分を備えており、前記パケット番号は、各送信によりインクリメントされ、
ここで、
前記パケットは、前記パケット番号の第２の部分を有するＣＣＭＰヘッダを備えているか、または、
前記方法は、前記装置に記憶された前記パケット番号の前記第１の部分と、ＭＡＣヘッダに含まれるシーケンス番号とにもとづいて、前記パケット番号を生成することをさらに備えるか、または、
前記装置に記憶された前記パケット番号の前記第１の部分は、前記パケット番号の最上位ビットを備え、前記方法は、前記パケット番号のロールオーバを検出し、前記検出に応答して前記装置に記憶された前記パケット番号の前記最上位ビットを更新することをさらに備える、
請求項９に記載の方法。
【請求項１２】
ＣＣＭＰ情報の更新されたバージョンを有する後続のパケットを受け取ることと、
前記ＣＣＭＰ情報の前記記憶された一部分を更新することと
をさらに備える請求項９に記載の方法。
【請求項１３】
前記パケットは、予備のバイトを欠くＣＣＭＰヘッダを備え、
前記復号することは、前記ＣＣＭＰヘッダに含まれる情報および前記記憶された情報を使用して前記データフィールドを復号することを備える請求項９に記載の方法。
【請求項１４】
装置によるワイヤレス通信のための方法であって、
カウンター暗号モードプロトコル（ＣＣＭＰ）情報を使用してデータフィールドを符号化することと、
前記ＣＣＭＰ情報の第１の部分を別の装置へとシグナリングし、前記符号化されたデータフィールドを有するパケットを前記別の装置へと送信することと
を備えており、
前記パケットは、前記データフィールドを符号化するために使用される前記ＣＣＭＰ情報の一部を欠いており、
前記シグナリングすることは、前記データフィールドを符号化するために使用される前記ＣＣＭＰ情報の第２の部分を、前記パケットに含まれる圧縮されたＣＣＭＰヘッダにおいて前記別の装置へと提供し、前記データフィールドを符号化するために使用される前記ＣＣＭＰ情報の前記第１の部分を、前記圧縮されたＣＣＭＰヘッダには含まれていない少なくとも何らかのＣＣＭＰ情報を有する以前に受け取ったパケットに含まれるフルＣＣＭＰヘッダにおいて前記別の装置へと提供することを備えている、方法。
【請求項１５】
前記パケットは、ＭＡＣヘッダと、前記ＭＡＣヘッダが通常のＭＡＣヘッダと比べてバイト数が少ないショートＭＡＣヘッダを備える旨のインジケーションとを備えている請求項１４に記載の方法。
【請求項１６】
前記ＣＣＭＰ情報の前記シグナリングされた第１の部分は、前記データフィールドを符号化するために使用されるパケット番号の第１の部分を備えており、前記パケット番号は、各送信によりインクリメントされ、前記パケットは、前記パケット番号の第２の部分を有するＣＣＭＰヘッダを備えている請求項１４に記載の方法。
【請求項１７】
ＣＣＭＰ情報の更新されたバージョンを有する後続のパケットを送信すること
をさらに備える請求項１４に記載の方法。
【請求項１８】
前記パケットは、予備のバイトを欠くＣＣＭＰヘッダを備えている請求項１４に記載の方法。
【請求項１９】
前記符号化することは、キーＩＤを使用して前記データフィールドを符号化することを備え、
前記シグナリングすることは、管理フレームの交換またはフルＣＣＭＰヘッダを通じて前記別の装置へと前記キーＩＤを送信することを備えている請求項１４に記載の方法。
【請求項２０】
コンピュータ上で実行されると請求項９〜１９のいずれか一項に記載の方法のステップを行うためのコードを備える、コンピュータプログラム。
【発明の詳細な説明】
【優先権の主張】
【０００１】
（米国特許法第１１９条に規定の優先権の主張）  
[0001]本出願は、参照によって本願に援用される２０１２年１２月１２日付出願の米国仮特許出願第６１／７３６，５１３号の利益を主張する。
【技術分野】
【０００２】
[0002]本開示の特定の態様は、一般に、ワイヤレス通信に関し、より詳細には、ショートＭＡＣヘッダを使用してパケットについてのオーバーヘッドを可能にするための技術に関する。
【背景技術】
【０００３】
[0003]ワイヤレス通信ネットワークが、音声、映像、パケットデータ、メッセージング、放送、などの種々の通信サービスを提供するために広く展開されている。これらのワイヤレスネットワークは、利用可能なネットワークリソースの共有によってマルチプルなユーザをサポートすることが可能な多重アクセスネットワークであり得る。このような多重アクセスネットワークの例として、符号分割多重アクセス（ＣＤＭＡ）ネットワーク、時分割多重アクセス（ＴＤＭＡ）ネットワーク、周波数分割多重アクセス（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークが挙げられる。
【０００４】
[0004]より大きなカバレッジおよびより広い通信範囲の要望に対処するために、種々のスキームが開発されている。このようなスキームの１つは、電気電子技術者協会（ＩＥＥＥ）の８０２．１１ａｈタスクフォースによって開発されているサブ１ＧＨｚの周波数範囲（例えば、米国においては９０２〜９２８ＭＨｚの範囲で動作する）である。この開発は、他のＩＥＥＥ８０２．１１のグループよりも大きな無線範囲を有し、妨害損失がより少ない周波数範囲を利用したいという願望にもとづいている。
【発明の概要】
【０００５】
[0005]本開示の特定の態様は、ワイヤレス通信のための装置を提供する。装置は、通常、当該装置において、情報のセットの一部分をローカルに記憶し、前記情報のセットを使用して符号化されたデータフィールドを備えるパケットを受け取り、前記情報のセットの前記記憶された一部分と、前記パケットに含まれる追加の情報とを使用して、前記データフィールドを復号するように概ね構成された処理システムを含む。
【０００６】
[0006]本開示の特定の態様は、ワイヤレス通信のための装置を提供する。装置は、通常、パケットのデータ部分を符号化するために使用される情報のセットの一部分を受信エンティティにシグナリングし、前記情報のセットを使用して符号化されたデータフィールドを有するパケットを前記受信エンティティへと送信するように構成された処理システムを含んでおり、前記パケットは、前記データフィールドを符号化するために使用された情報のセットの一部を欠いている。
【０００７】
[0007]本開示の特定の態様は、ワイヤレス通信のための装置を提供する。装置は、通常、当該装置において、情報のセットの一部分をローカルに記憶するための手段と、前記情報のセットを使用して符号化されたデータフィールドを備えるパケットを受け取るための手段と、前記情報のセットの前記記憶された一部分と、前記パケットに含まれる追加の情報とを使用して、前記データフィールドを復号するための手段とを備える。
【０００８】
[0008]本開示の特定の態様は、ワイヤレス通信のための装置を提供する。装置は、通常、パケットのデータ部分を符号化するために使用される情報のセットの一部分を受信エンティティにシグナリングするための手段と、前記情報のセットを使用して符号化されたデータフィールドを有するパケットを前記受信エンティティに送信するための手段とを含んでおり、前記パケットは、前記データフィールドを符号化するために使用された前記情報のセットの一部を欠いている。
【０００９】
[0009]本開示の特定の態様は、装置によるワイヤレス通信のための方法を提供する。本方法は、通常、当該装置において、情報のセットの一部分をローカルに記憶することと、前記情報のセットを使用して符号化されたデータフィールドを備えるパケットを受け取ることと、前記情報のセットの前記記憶された一部分と、前記パケットに含まれる追加の情報とを使用して、前記データフィールドを復号することとを含む。
【００１０】
[0010]本発明の特定の態様は、装置によるワイヤレス通信のための方法を提供する。本方法は、通常、パケットのデータ部分を符号化するために使用される情報のセットの一部分を受信エンティティにシグナリングすることと、前記情報のセットを使用して符号化されたデータフィールドを有するパケットを前記受信エンティティに送信することとを含んでおり、前記パケットは、前記データフィールドを符号化するために使用された前記情報のセットの一部を欠いている。
【００１１】
[0011]本開示の特定の態様は、装置によるワイヤレス通信のためのコンピュータプログラム製品であって、命令が記憶されたコンピュータ読取可能媒体を備えているコンピュータプログラム製品を提供する。前記命令は、一般に、当該装置において、情報のセットの一部分をローカルに記憶し、前記情報のセットを使用して符号化されたデータフィールドを備えるパケットを受け取り、前記情報のセットの前記記憶された一部分と、前記パケットに含まれる追加の情報とを使用して、前記データフィールドを復号するために実行可能である。
【００１２】
[0012]本開示の特定の態様は、装置によるワイヤレス通信のためのコンピュータプログラム製品であって、命令が記憶されたコンピュータ読取可能媒体を備えているコンピュータプログラム製品を提供する。前記命令は、一般に、パケットのデータ部分を符号化するために使用される情報のセットの一部分を受信エンティティにシグナリングし、前記情報のセットを使用して符号化されたデータフィールドを有するパケットを前記受信エンティティへと送信するために実行可能であり、前記パケットは、前記データフィールドを符号化するために使用された前記情報のセットの一部を欠いている。
【００１３】
[0013]本開示の特定の態様は、ワイヤレス通信のための局を提供する。局は、通常、当該局において、情報のセットの一部分をローカルに記憶し、前記情報のセットを使用して符号化されたデータフィールドを備えるパケットを受け取り、前記情報のセットの前記記憶された一部分と、前記パケットに含まれる追加の情報とを使用して、前記データフィールドを復号するように概ね構成された処理システムを含む。
【００１４】
[0014]本開示の特定の態様は、ワイヤレス通信のためのアクセスポイントを提供する。アクセスポイントは、通常、パケットのデータ部分の符号化に使用される情報のセットの一部分を局へとシグナリングし、前記情報のセットを使用して符号化されたデータフィールドを有するパケットを前記局に送信するように構成された処理システムを含んでおり、前記パケットは、前記データフィールドを符号化するために使用された前記情報のセットの一部を欠いている。
【００１５】
[0015]本開示の上記特徴が詳細に理解されるように、上記の簡単な概要について、一部が添付の図面に示されているいくつかの態様を参照することによって、さらに詳細に説明する。しかしながら、添付の図面が、本開示の特定の典型的な態様を示しているにすぎず、したがって本開示の範囲を限定するものと考えられるべきではなく、本明細書は他の同様に有効な態様を容認しうることに、注意すべきである。
【図面の簡単な説明】
【００１６】
【図１】[0016]図１は、本開示の特定の態様による例示的なワイヤレス通信ネットワークの図を示している。
【図２】[0017]図２は、本開示の特定の態様による例示的なアクセスポイントおよびユーザ端末のブロック図を示している。
【図３】[0018]図３は、本開示の特定の態様による例示的なワイヤレスデバイスのブロック図を示している。
【図４】[0019]図４は、ショートＭＡＣヘッダを利用する例示的なパケット構造を示している。
【図５】[0020]図５は、本開示の特定の態様による、受信機によるワイヤレス通信のための例示的な動作のブロック図を示している。
【図５Ａ】[0021]図５Ａは、図５に示した動作を実行可能な例示的な手段を示している。
【図６】[0022]図６は、本開示の特定の態様による、送信機によるワイヤレス通信のための例示的な動作のブロック図を示している。
【図６Ａ】[0023]図６Ａは、図６に示した動作を実行することが可能な例示的な手段を示している。
【図７】[0024]図７は、本開示の諸態様による、圧縮されたＣＣＭＰヘッダを有する例示的なパケット構造を示している。
【００１７】
[0025]図７Ａは、本開示の諸態様による例示的な圧縮されたＣＣＭＰヘッダを示している。
【図８】[0026]図８は、本開示の諸態様による圧縮されたＣＣＭＰヘッダを有する別の例示的なパケット構造を示している。
【００１８】
[0027]図８Ａは、本開示の諸態様による例示的な圧縮されたＣＣＭＰヘッダを示している。
【図９】[0028]図９は、本開示の諸態様によるＣＣＭＰヘッダを持たない例示的なパケット構造を示している。
【詳細な説明】
【００１９】
[0029]本発明の種々の態様が、添付の図面を参照して以下でさらに詳しく説明される。しかしながら、本発明は、多数の異なる形態にて具現化可能であり、本明細書の各所において提示されるいかなる特定の構造または機能にも限定されない。むしろ、それらの態様は、本明細書の開示が徹底的かつ完全なものとなり、当業者に本発明の技術的範囲を充分に伝えるように提示されている。本明細書の教示にもとづき、当業者であれば、本発明の技術的範囲が、本明細書に開示の本発明のあらゆる態様を包含するように意図されており、それらが本発明の任意の他の態様から独立して実施されても、本発明の任意の他の態様と組み合わせられてもよいことを、理解すべきである。例えば、装置の実現または方法の実施が、本明細書において説明されるいくつかの態様を使用して可能である。さらに、本発明の技術的範囲は、本明細書において説明される本発明の種々の態様に加え、あるいは本明細書において説明される本発明の種々の態様以外に、他の構造、機能、あるいは構造および機能を使用して実施されるような装置および方法も包含するように意図される。本明細書に開示される本発明の任意の態様を、特許請求の範囲の１つ以上の構成要素によって具現化できることを、理解すべきである。
【００２０】
[0030]特定の態様が本明細書において説明されるが、それらの態様の多数の変種および変更が、本発明の技術的範囲に包含される。好ましい態様について、いくつかの利益および利点が言及されるが、本発明の技術的範囲は、特定の利益、用途、または目的に限定されるものではない。むしろ、本発明の態様は、種々の無線の技術、システム、構成、ネットワーク、および伝送プロトコルに広く適用可能であるように意図され、それらの一部が、図面および以下の好ましい態様の説明に例として示される。詳細な説明および図面は、本発明を限定するのではなく、あくまでも例示にすぎず、本発明の技術的範囲は、添付の特許請求の範囲およびこの均等物によって定められる。
【００２１】
（ワイヤレス通信システムの例）  
[0031]本明細書に記載の技術は、直交多重化スキームにもとづく通信システムを含めた、種々のブロードバンドワイヤレス通信システムのために使用されうる。このような通信システムの例として、空間分割多重アクセス（ＳＤＭＡ）、時分割多重アクセス（ＴＤＭＡ）、直交周波数分割多重アクセス（ＯＦＤＭＡ）システム、シングルキャリア周波数分割多重アクセス（ＳＣ−ＦＤＭＡ）システム、などが挙げられる。ＳＤＭＡシステムは、マルチプルなユーザ端末に属するデータを同時に伝送するために十分に異なる方向を利用することができる。ＴＤＭＡシステムは、伝送信号を異なる時間スロット（各時間スロットは異なるユーザ端末へと割り当てられている）へと分割することによって、マルチプルなユーザ端末が同じ周波数チャネルを共有することを可能にしうる。ＯＦＤＭＡシステムは、全体的なシステム帯域幅をマルチプルな直交サブキャリアへと分割する変調技術である直交周波数分割多重化を利用する。これらのサブキャリアは、トーン、ビン、などと呼ばれることもある。ＯＦＤＭにおいては、各サブキャリアは、別個独立にデータで変調されうる。ＳＣ−ＦＤＭＡシステムは、システム帯域幅にわたって分布したサブキャリアにおける伝送のためにインターリーブドＦＤＭＡ（ＩＦＤＭＡ）を使用し、隣接するサブキャリアのブロックにおける伝送のためにローカライズドＦＤＭＡ（ＬＦＤＭＡ）を使用し、隣接するサブキャリアのマルチプルブロックにおける伝送のためにエンハンスドＦＤＭＡ（ＥＦＤＭＡ）を利用することができる。一般に、変調シンボルが、ＯＦＤＭでは周波数領域において送信され、ＳＣ−ＦＤＭＡでは時間領域において送信される。
【００２２】
[0032]本明細書における教示は、様々な有線のまたはワイヤレスの装置（例えば、ノード）へと組み込むことができる（例えば、それらに実装でき、あるいはそれらによって実行できる）。いくつかの態様においては、本明細書における教示に従って実現されるワイヤレスノードが、アクセスポイントまたはアクセス端末を備えることができる。
【００２３】
[0033]アクセスポイント（「ＡＰ」）は、ノードＢ、無線ネットワークコントローラ（「ＲＮＣ」）、エボルブドノードＢ（ｅＮＢ）、基地局コントローラ（「ＢＳＣ」）、ベーストランシーバステーション（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線ベースステーション（「ＲＢＳ］）、または何らかの他の用語を含み、これらとして実装され、またはこれらとして知られ得る。
【００２４】
[0034]アクセス端末（「ＡＴ」）は、加入者設備、加入者ユニット、移動局（ＭＳ）、リモートステーション、リモート端末、ユーザ端末（ＵＴ）、ユーザエージェント、ユーザデバイス、ユーザ設備（ＵＥ）、ユーザステーション、または何らかの他の用語を含み、これらとして実装され、またはこれらとして知られ得る。いくつかの実施例において、アクセス端末は、携帯電話機、コードレス電話機、セッション・イニシエーション・プロトコル（「ＳＩＰ」）電話機、ワイヤレスローカルループ（「ＷＬＬ」）ステーション、携帯情報端末（「ＰＤＡ」）、ワイヤレス接続機能を有する携帯デバイス、ステーション（「ＳＴＡ」）、またはワイヤレスモデムに接続された何らかの他の適切な処理装置を含み得る。したがって、本明細書において教示される１つまたは複数の態様は、電話機（例えば、携帯電話またはスマートフォン）、コンピュータ（例えば、ラップトップ）、タブレット、携帯通信デバイス、携帯コンピューティングデバイス（例えば、携帯情報端末）、娯楽デバイス（例えば、音楽または映像デバイス、あるいは衛星無線機）、全地球測位システム（ＧＰＳ）デバイス、またはワイヤレスのもしくは有線のモデムを介して通信するように構成された任意の他の適切なデバイスへと取り入れることができる。いくつかの態様において、ノードは、ワイヤレスノードである。このようなワイヤレスノードは、例えば、有線またはワイヤレス通信リンクを介して、ネットワーク（例えば、インターネットまたはセルラーネットワークなどの広域ネットワーク）に関する接続、またはこのようなネットワークへの接続を提供することができる。
【００２５】
[0035]図１は、アクセスポイントとユーザ端末とを備えた多重アクセス多入力多出力（ＭＩＭＯ）システム１００を示している。簡単のために、図１においては、１つのアクセスポイント１１０だけが示されている。アクセスポイントは、一般に、ユーザ端末と通信する固定局であり、基地局と呼ばれることもあり、何らかの他の術語で呼ばれることもある。ユーザ端末は、固定であっても、あるいは可動であってもよく、移動局またはワイヤレスデバイスと呼ばれることもあり、何らかの他の術語で呼ばれることもある。アクセスポイント１１０は、ダウンリンクおよびアップリンクにて任意の所与の瞬間において１つまたは複数のユーザ端末１２０と通信しうる。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末は、また、他のユーザ端末とピアツーピアの通信を行うこともできる。システムコントローラ１３０が、アクセスポイントにつながり、アクセスポイントの協調および制御を提供する。
【００２６】
[0036]以下の開示のいくつかの部分は、空間分割多重アクセス（ＳＤＭＡ）によって通信を行うことができるユーザ端末１２０を説明するが、特定の態様では、ユーザ端末１２０は、また、ＳＤＭＡをサポートしないいくつかのユーザ端末を含みうる。したがって、このような態様においては、ＡＰ１１０は、ＳＤＭＡユーザ端末および非ＳＤＭＡユーザ端末の両方と通信するように構成されうる。この手法は、好都合には、事業において古いバージョンのユーザ端末（「レガシー」局）を使用し続けることで、それらの実質的な寿命を延ばしつつ、より新しいＳＤＭＡユーザ端末を適切であると判断されるとおりに導入することを可能にしうる。
【００２７】
[0037]システム１００は、ダウンリンクおよびアップリンクにおけるデータ伝送のためにマルチプルな送信およびマルチプルな受信アンテナを使用する。アクセスポイント１１０は、Ｎａｐ個のアンテナを備え、ダウンリンク伝送のための多入力（ＭＩ）およびアップリンク伝送のための多出力（ＭＯ）を提示する。Ｋ個の選択されたユーザ端末１２０のセットが、ダウンリンク伝送のための多出力およびアップリンク伝送のための多入力を集合的に提示する。純粋なＳＤＭＡについては、Ｋ個のユーザ端末のためのデータシンボルストリームが何らかの手段によって符号、周波数、または時間において多重化されない場合、Ｎａｐ≧Ｋ≧１であることが望ましい。データシンボルストリームがＴＤＭＡ技術、ＣＤＭＡにおける異なる符号チャネル、ＯＦＤＭにおけるサブバンドの素集合、などを使用して多重化されうる場合、ＫはＮａｐよりも大きいものでありうる。各々の選択されたユーザ端末が、ユーザ固有のデータをアクセスポイントへと送信し、および／またはユーザ固有のデータをアクセスポイントから受信する。一般に、各々の選択されたユーザ端末は、１つまたは複数のアンテナを備えることができる（すなわち、Ｎｕｔ≧１）。Ｋ個の選択されたユーザ端末は、同じ数または異なる数のアンテナを有することができる。
【００２８】
[0038]ＳＤＭＡシステムは、時分割複信（ＴＤＤ）システムまたは周波数分割複信（ＦＤＤ）システムでありうる。ＴＤＤシステムにおいては、ダウンリンクおよびアップリンクが、同じ周波数帯を共有する。ＦＤＤシステムにおいては、ダウンリンクおよびアップリンクが、異なる周波数帯を共有する。ＭＩＭＯシステム１００は、伝送のために単一のキャリアまたはマルチプルなキャリアを利用しうる。各ユーザ端末は、単一のアンテナを備える（例えば、コストを低く抑えるため）ことができ、あるいはマルチプルなアンテナを備える（例えば、追加のコストがサポートされ得る場合）ことができる。システム１００は、また、ユーザ端末１２０が送信／受信を異なる時間スロット（各々が異なるユーザ端末１２０へと割り当てられている）へと分割することによって同じ周波数チャネルを共有する場合、ＴＤＭＡシステムでありうる。
【００２９】
[0039]図２は、ＭＩＭＯシステム１００におけるアクセスポイント１１０ならびに２つのユーザ端末１２０ｍおよび１２０ｘのブロック図を示している。アクセスポイント１１０は、Ｎｔ個のアンテナ２２４ａ〜２２４ｔを備えている。ユーザ端末１２０ｍは、Ｎｕｔ，ｍ個のアンテナ２５２ｍａ〜２５２ｍｕを備え、ユーザ端末１２０ｘは、Ｎｕｔ，ｘ個のアンテナ２５２ｘａ〜２５２ｘｕを備えている。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書において使用されるとき、「送信エンティティ」は、ワイヤレスチャネルを介してデータを送信することができる独立動作の装置またはデバイスであり、「受信エンティティ」は、ワイヤレスチャネルを介してデータを受信することができる独立動作の装置またはデバイスである。以下の説明において、下付き文字の「ｄｎ」は、ダウンリンクを指し、下付き文字の「ｕｐ」は、アップリンクを指し、Ｎｕｐ個のユーザ端末が、アップリンクにおける同時送信について選択され、Ｎｄｎ個のユーザ端末が、ダウンリンクにおける同時受信について選択され、Ｎｕｐは、Ｎｄｎに等しくても、等しくなくてもよく、ＮｕｐおよびＮｄｎは、静的な値であっても、各々のスケジューリング間隔毎に変化してもよい。ビームステアリングまたは何らかの他の空間処理技術を、アクセスポイントおよびユーザ端末において使用することができる。
【００３０】
[0040]アップリンクに関し、アップリンク送信のために選択された各ユーザ端末１２０において、送信（ＴＸ）データプロセッサ２８８が、データソース２８６からのトラフィックデータおよびコントローラ２８０からの制御データを受け取る。ＴＸデータプロセッサ２８８は、ユーザ端末について選択されたレートに関連付けられたコーディングおよび変調スキームにもとづいてユーザ端末についてのトラフィックデータを処理（例えば、符号化、インターリーブ、および変調）し、データシンボルストリームを提供する。ＴＸ空間プロセッサ２９０が、データシンボルストリームに対して空間処理を実行し、Ｎｕｔ，ｍ個のアンテナのためのＮｕｔ，ｍ個の送信シンボルストリームを提供する。各送信機ユニット（ＴＭＴＲ）２５４が、それぞれの送信シンボルストリームを受け取って処理し（例えば、アナログへの変換、増幅、フィルタ処理、および周波数のアップコンバートを行い）、アップリンク信号を生成する。Ｎｕｔ，ｍ個の送信機ユニット２５４は、Ｎｕｔ，ｍ個のアンテナ２５２からアクセスポイントへの送信のためのＮｕｔ，ｍ個のアップリンク信号を提供する。
【００３１】
[0041]Ｎｕｐ個のユーザ端末を、アップリンクにおける同時送信についてスケジューリングすることができる。これらのユーザ端末の各々は、自身のデータシンボルストリームについて空間処理を実行し、アップリンクにおいてアクセスポイントへと自身の一式の送信シンボルストリームを送信する。
【００３２】
[0042]アクセスポイント１１０において、Ｎａｐ個のアンテナ２２４ａ〜２２４ａｐが、アップリンクにおいて送信しているＮｕｐ個のすべてのユーザ端末からのアップリンク信号を受信する。各々のアンテナ２２４が、受信信号を、それぞれの受信機ユニット（ＲＣＶＲ）２２２へと提供する。各々の受信機ユニット２２２は、送信機ユニット２５４によって実行された処理と対をなす処理を実行し、受信シンボルストリームを提供する。ＲＸ空間プロセッサ２４０が、Ｎａｐ個の受信機ユニット２２２からのＮａｐ個の受信シンボルストリームについて受信機空間処理を実行し、Ｎｕｐ個の復元されたアップリンクデータシンボルストリームを提供する。受信機空間処理は、チャネル相間行列反転（ＣＣＭＩ）、最小平均二乗誤差（ＭＭＳＥ）、ソフト干渉除去（ＳＩＣ）、または何らかの他の技術に従って実行される。各々の復元されたアップリンクデータシンボルストリームは、それぞれのユーザ端末によって送信されたデータシンボルストリームの推定である。ＲＸデータプロセッサ２４２が、復号されたデータを得るためにそのストリームについて使用されるレートにしたがって、復元された各アップリンクデータシンボルストリームを処理する（例えば、復調、デインターリーブ、および復号）。各々のユーザ端末についての復号データを、記憶のためにデータシンク２４４に提供することができ、および／またはさらなる処理のためにコントローラ２３０に提供することができる。
【００３３】
[0043]ダウンリンクに関しては、アクセスポイント１１０において、ＴＸデータプロセッサ２１０が、ダウンリンク送信についてスケジューリングされたＮｄｎ個のユーザ端末についてのデータソース２０８からのトラフィックデータと、コントローラ２３０からの制御データと、おそらくはスケジューラ２３４からの他のデータとを受け取る。種々の種類のデータを、異なるトランスポートチャネルにて送信することができる。ＴＸデータプロセッサ２１０が、各々のユーザ端末についてのトラフィックデータを、このユーザ端末について選択されたレートにもとづいて処理する（例えば、符号化、インターリーブ、および変調を行う）。ＴＸデータプロセッサ２１０は、Ｎｄｎ個のユーザ端末のためのＮｄｎ個のダウンリンクデータシンボルストリームを提供する。ＴＸ空間プロセッサ２２０が、Ｎｄｎ個のダウンリンクデータシンボルストリームに対して空間処理（本開示において説明されるプレコーディングまたはビームフォーミングなど）を実行し、Ｎａｐ個のアンテナのためのＮａｐ個の送信シンボルストリームを提供する。各々の送信機ユニット２２２が、それぞれの送信シンボルストリームを受け取って処理し、ダウンリンク信号を生成する。Ｎａｐ個の送信機ユニット２２２は、Ｎａｐ個のアンテナ２２４からユーザ端末への送信のためのＮａｐ個のダウンリンク信号を提供する。
【００３４】
[0044]各々のユーザ端末１２０において、Ｎｕｔ，ｍ個のアンテナ２５２が、アクセスポイント１１０からのＮａｐ個のダウンリンク信号を受信する。各々の受信機ユニット２５４が、該当のアンテナ２５２からの受信信号を処理し、受信シンボルストリームを提供する。ＲＸ空間プロセッサ２６０が、Ｎｕｔ，ｍ個の受信機ユニット２５４からのＮｕｔ，ｍ個の受信シンボルストリームに対して受信機空間処理を実行し、ユーザ端末についての復元されたダウンリンクデータシンボルストリームを提供する。受信機空間処理は、ＣＣＭＩ、ＭＭＳＥ、または何らかの他の技術に従って実行される。ＲＸデータプロセッサ２７０が、復元されたダウンリンクデータシンボルストリームを処理し（例えば、復調、デインターリーブ、および復号を行い）、ユーザ端末についての復号データを得る。
【００３５】
[0045]各ユーザ端末１２０において、チャネル推定器２７８が、ダウンリンクチャネル応答を推定し、チャネル利得推定、ＳＮＲ推定、雑音分散、などを含みうるダウンリンクチャネル推定をもたらす。同様に、チャネル推定器２２８が、アップリンクチャネル応答を評価し、アップリンクチャネル推定をもたらす。各々のユーザ端末のコントローラ２８０が、通常、ユーザ端末についての空間フィルタ行列を、このユーザ端末についてのダウンリンクチャネル応答行列Ｈｄｎ，ｍにもとづいて導出する。コントローラ２３０が、アクセスポイントについての空間フィルタ行列を、有効アップリンクチャネル応答行列Ｈｕｐ，ｅｆｆにもとづいて導出する。各ユーザ端末のコントローラ２８０は、アクセスポイントへとフィードバック情報（例えば、ダウンリンクおよび／またはアップリンクの固有ベクトル、固有値、ＳＮＲ推定、など）を送信することができる。コントローラ２３０および２８０は、また、アクセスポイント１１０およびユーザ端末１２０のそれぞれにおける種々の処理ユニットの動作も制御する。
【００３６】
[0046]図３は、ＭＩＭＯシステム１００において使用することができるワイヤレスデバイス３０２において利用することができる種々の構成要素を示している。ワイヤレスデバイス３０２は、本明細書に記載の種々の方法を実行するように構成されうるデバイスの例である。ワイヤレスデバイス３０２は、アクセスポイント１１０またはユーザ端末１２０でありうる。
【００３７】
[0047]ワイヤレスデバイス３０２は、ワイヤレスデバイス３０２の動作を制御するプロセッサ３０４を含むことができる。プロセッサ３０４は、また、中央演算処理装置（ＣＰＵ）とも呼ばれ得る。読み出し専用メモリ（ＲＯＭ）およびランダムアクセスメモリ（ＲＡＭ）の両方を含みうるメモリ３０６が、プロセッサ３０４に命令およびデータを提供する。メモリ３０６の一部は、また、不揮発ランダムアクセスメモリ（ＮＶＲＡＭ）を含みうる。プロセッサ３０４は、通常、メモリ３０６内に格納されたプログラム命令にもとづいて論理および算術演算を実行する。メモリ３０６内の命令は、本明細書に記載の方法を実施するために実行可能でありうる。
【００３８】
[0048]ワイヤレスデバイス３０２は、また、ワイヤレスデバイス３０２とリモートロケーションとの間でのデータの送信および受信を可能にするために、送信機３１０および受信機３１２を含みうる、ハウジング３０８を含むことができる。送信機３１０および受信機３１２は、トランシーバ３１４へと組み合わされうる。１つまたは複数の送信アンテナ３１６を、ハウジング３０８へと取り付け、トランシーバ３１４へと電気的に接続することができる。ワイヤレスデバイス３０２は、また、マルチプルな送信機、マルチプルな受信機、およびマルチプルなトランシーバを含んでもよい（図示せず）。
【００３９】
[0049]ワイヤレスデバイス３０２は、また、トランシーバ３１４によって受信される信号のレベルを検出して定量化する試みにおいて使用することができる信号検出器３１８を含むことができる。信号検出器３１８は、このような信号を、総エネルギー、シンボル毎のサブキャリアあたりのエネルギー、パワースペクトル密度、および他の信号として検出することができる。ワイヤレスデバイス３０２は、また、信号を処理する際に使用するためのデジタル信号プロセッサ（ＤＳＰ）３２０を含むことができる。
【００４０】
[0050]ワイヤレスデバイス３０２の種々の構成要素は、データバスに加えて、電源バス、制御信号バス、および状態信号バスを含み得る、バスシステム３２２によって互いに接続されることができる。
【００４１】
（ショートＭＡＣヘッダを有するパケットのためのセキュリティの例）  
[0051]ショートＭＡＣヘッダ（フルＭＡＣヘッダと比べて圧縮されている）を有するパケット構造の使用は、ＩＥＥＥ８０２．１１ａｈなどの特定の規格において受け入れられている。８０２．１１ａｈに定められているショートＭＡＣヘッダは、通常のＭＡＣヘッダの３４バイトから１２バイトまで短縮されている。ショートＭＡＣヘッダの少ないビット数は、オーバーヘッドの減少を可能にし、オーバーヘッドが全体のパケットサイズのうちのより大きな割合を占めるショートデータパケットにおいて、特に有益である。
【００４２】
[0052]本明細書に提示される技術は、ショートＭＡＣヘッダを使用するような、暗号化パケットのオーバーヘッドの低減のための技術を提供する。本明細書に提示される技術は、パケット毎の暗号化（per-packet encryption）に関連したオーバーヘッドの低減のための種々のオプションを提供する。これらの技術を、個別に使用することができ、場合によっては、オーバーヘッドのより大きな低減を達成するために組み合わせることもできる。
【００４３】
[0053]図４は、ショートＭＡＣヘッダ４１０とフルＣＣＭＰヘッダ４２０とを有するパケット４００（図示の例では、ＭＰＤＵ）の一例を示している。図示のとおり、ＭＡＣヘッダ４２０は、データパケットの宛先およびソースアドレスを含み、ＣＣＭＰヘッダは、パケット番号（ＰＮ）、Ｅｘｔ  ＩＶ、およびキーＩＤを有する。図示のとおり、パケット番号は、６つのオクテットにわたって格納された４８ビットの番号であり（図示のように、ＰＮコードはＣＣＭＰヘッダの最初の２つのオクテットおよび最後の４つのオクテットである）、後続のパケットごとにインクリメントされる。キーＩＤのオクテットは、Ｅｘｔ  ＩＶ（ビット５）、キーＩＤ（ビット６および７）、ならびに予備のサブフィールド（ビット０〜４）を含む。
【００４４】
[0054]ＣＣＭＰヘッダ内のこの情報は、データユニットおよびパケットのインテグリティおよび真正性（authenticity）を保護するメッセージインテグリティコード（ＭＩＣ）を暗号化するために使用される。エラーの検出および訂正に使用されるフレームチェックシーケンス（ＦＣＳ）は、暗号化されない。
【００４５】
[0055]本明細書に提示の技術は、ＣＣＭＰヘッダの伝送に関するオーバーヘッドの低減を助けることができる。特定の態様によれば、ＣＣＭＰ情報の一部（従来、フルＣＣＭＰヘッダにおいて運ばれる）は、受信機において記憶されうる。例えば、ＰＮの上位４バイトが記憶される場合、ＣＣＭＰヘッダは４バイトだけ短縮されうる。これに加え、あるいはこれに代えて、不必要な（予備の）フィールドを、取り除くこともできる（１バイト）。後述される他の技術は、更なる短縮をもたらしうる。
【００４６】
[0056]図５は、本開示の諸態様による、受信エンティティによるワイヤレス通信のための例示的な動作５００のブロック図である。動作５００は、局またはアクセスポイントなどの装置によって実行されうる。
【００４７】
[0057]５０２において、装置は、カウンター暗号モードプロトコル（ＣＣＭＰ）情報の一部を当該装置においてローカルに記憶する。５０４において、装置は、ＭＡＣヘッダと、ＭＡＣヘッダのタイプのインジケーションと、ＣＣＭＰ情報を使用して暗号化されたデータフィールドとを有するパケットを受信する。５０６において、装置は、記憶しているＣＣＭＰ情報の一部分と、パケットに含まれる追加の情報とを使用して、データフィールドを解読する。
【００４８】
[0058]図６は、本開示の諸態様による、送信エンティティによるワイヤレス通信のための例示的な動作６００のブロック図である。動作６００は、局またはアクセスポイントなどの装置によって実行されうる。
【００４９】
[0059]６０２において、装置は、受信エンティティにおいて記憶されるべき、カウンター暗号モードプロトコル（ＣＣＭＰ）情報の一部を、受信エンティティにシグナリングする。６０４において、装置は、ＭＡＣヘッダと、ＭＡＣヘッダのタイプのインジケーションと、ＣＣＭＰ情報を使用して暗号化されたデータフィールドとを有するパケットを送信し、ここでパケットは、データフィールドを暗号化するために使用されるＣＣＭＰ情報の一部を欠いている。
【００５０】
[0060]図７は、本開示の諸態様による、ショート（圧縮された）ＣＣＭＰヘッダ７２０を有する例示的なパケット７００を示している。
【００５１】
[0061]図示のとおり、ベースＰＮ（図示の例では、ＢＰＮ＝ＰＮ２｜ＰＮ３｜ＰＮ４｜ＰＮ５）を定義することによってＣＣＭＰヘッダ圧縮を実行することが可能である。ＢＰＮは、受信エンティティにおいて記憶され、管理フレームの交換を通じて得られうる。特定の態様によれば、ＣＣＭＰヘッダの残りの部分（例えば、送信されたＰＮの最下位ビットおよびキーＩＤ、すなわちＰＮ０｜ＰＮ１｜キーＩＤ）が、パケットにおいて送信されうる。これは、パケットＰＮ（ＰＰＮ）と呼ばれ得る。
【００５２】
[0062]この情報から、記憶された情報と併せて、フルＣＣＭＰヘッダ情報が、受信機において再構築され得る。例えば、フルＰＮは、（送信された）ＰＰＮおよび（記憶された）ＢＰＮから、ＰＮ＝ＰＰＮ｜ＢＰＮの連結（Concatenate）として再構築され得る。ＢＰＮは、ＰＮ０｜ＰＮ１のロールオーバの際に更新される必要があり得る。１６ビットベースのロールオーバは、８０２．１１ａｈの用途においてはきわめて少ないと予想され、受信機において検出されうる（それに応じて、ＢＰＮが更新される）。
【００５３】
[0063]図７Ａに示されるとおり、この手法を使用すると、ＣＣＭＰヘッダは、ＰＮ０｜ＰＮ１｜キーＩＤのオクテットだけがパケットとともに送信される必要があるので、８オクテットから３オクテットへと短縮される。
【００５４】
[0064]図８は、本開示の諸態様によるショートＣＣＭＰヘッダ８２０の別の例を有する例示的なパケット８００を示している。
【００５５】
[0065]図示のとおり、さらに効率的なＣＣＭＰヘッダ圧縮を実行することが可能である。この更なる圧縮は、例えば、送信される（ＭＡＣヘッダ内の）シーケンス制御（ＳＣ）番号をＰＮ０｜ＰＮ１として機能させることを可能にすることによって、可能になりうる。換言すると、ＰＮ０｜ＰＮ１＝ＳＣ（＝シーケンス番号（ＳＮ）｜フラグメント番号（ＦＮ））である。いくつかの場合、パケット番号は、ＭＳＤＵがフラグメント化されないときには、１６のステップで増加する。結果として、ＰＮは、効果的に４ビット減らされうる。
【００５６】
[0066]図８Ａに示されるとおり、この手法は、キーＩＤのオクテットだけをパケットとともに送信すればよいため、わずか１オクテットへと短縮されたＣＣＭＰヘッダをもたらすことができる。
【００５７】
[0067]図９に示されるとおり、（空のＣＣＭＰヘッダ９２０によって示されるように）ＣＣＭＰヘッダをまったく持たないパケットを送信することすら可能であり得る。この更なる圧縮は、キーＩＤのオクテットを取り除くことによって可能となり得る。これは、（キーＩＤのオクテットに含まれる）Ｅｘｔ  ＩＶの値がＣＣＭＰについて常に１であるがゆえに可能となりうる。さらに、鍵の再生成（re-keying）は、ユニキャストのトラフィックについては決して生じない可能性があり、グループトラフィックはショートＭＡＣヘッダを使用しないので、同様にキーＩＤが省略されうる。結果として、ＣＣＭＰヘッダが、ショートＭＡＣヘッダから基本的に取り除かれる。この場合、パケット番号（のＬＳＢ）が、シーケンス制御番号ＳＣから、例えば、ＰＮ０｜ＰＮ１＝ＳＣとして決定されうる。
【００５８】
[0068]本明細書に記載のとおり、ＣＣＭＰヘッダのＣＣＭＰ情報の一部分（例えば、ＰＮ２｜ＰＮ３｜ＰＮ４｜ＰＮ５）（例えば、管理フレームの交換を通じて取得される）を受信機においてベースＰＮとして記憶することによって、ＣＣＭＰヘッダのオーバーヘッドは、大幅に低減され得る。特定の態様によれば、ＣＣＭＰヘッダのＲｓｖｄフィールドのオクテットは、ショートＭＡＣヘッダとともに使用されるときには取り除かれうる。さらに、ＣＣＭＰヘッダのキーＩＤフィールドは、また、ショートＭＡＣヘッダとともに使用されるときには、受信機において記憶（そして、管理フレームの交換を通じて取得）されうる。キーの再生成（Rekeying）は、新たなキーがネゴシエートされる間、通常のＭＡＣヘッダおよび現在のキーを有する通常のフレームを一時的に使用することによって達成されることができる。新たなキー（および、キーＩＤ）がネゴシエートされたときには、それがショートＭＡＣヘッダについて使用されるキー（および、キーＩＤ）となり、ショートＭＡＣヘッダの使用が再開されうる。
【００５９】
[0069]特定の実施形態によれば、ショートＭＡＣヘッダのシーケンス制御フィールドは、ショートＭＡＣヘッダとともに使用されるときにはＣＣＭＰヘッダのＰＮ０｜ＰＮ１として使用されうる。
【００６０】
[0070]上述の方法の種々の動作を、対応する機能を実行することができる任意の適切な手段によって実行することができる。手段として、これらに限られるわけではないが回路、特定用途向け集積回路（ＡＳＩＣ）、またはプロセッサなど、種々のハードウェアおよび／またはソフトウェア構成要素および／またはモジュールを挙げることができる。一般に、図面に示される動作が存在する場合、それらの動作は、同様の番号が付される対応する同等のミーンズプラスファンクション（means-plus-function）構成要素を有することができる。例えば、図５および６に示される動作５００および６００は、図５Ａおよび６Ａにそれぞれ示される手段５００Ａおよび６００Ａに対応する。
【００６１】
[0071]例えば、送信するための手段は、図２に示されるアクセスポイント１１０の送信機（例えば、送信機ユニット２２２）および／またはアンテナ２２４、あるいは図３に示される送信機３１０および／またはアンテナ３１６を備えることができる。受信するための手段は、図２に示されるアクセスポイント１１０の受信機（例えば、受信機ユニット２２２）および／またはアンテナ２２４、あるいは図３に示される受信機３１２および／またはアンテナ３１６を備えることができる。処理するための手段、決定するための手段、検出するための手段、走査するための手段、選択するための手段、または動作を終了させるための手段は、図２に示したアクセスポイント１１０のＲＸデータプロセッサ２４２、ＴＸデータプロセッサ２１０、および／またはコントローラ２３０、あるいは図３に示したプロセッサ３０４および／またはＤＳＰ３２０などの１つ以上のプロセッサを含むことができる処理システムを備えることができる。
【００６２】
[0072]本明細書において使用されるとき、用語「決定する」は、幅広くさまざまな行為を包含する。例えば、「決定する」は、計算する、演算する、処理する、導出する、調査する、参照する（例えば、表、データベース、または他のデータ構造を参照する）、確かめる、などを含むことができる。また、「決定する」は、受け取る（例えば、情報を受信する）、アクセスする（例えば、メモリ内のデータにアクセスする）、などを含むことができる。さらに、「決定する」は、解決する、選択する、選ぶ、確立させる、などを含むことができる。
【００６３】
[0073]本明細書において使用されるとき、アイテムのリスト「のうちの少なくとも１つ」に言及する表現は、それらのアイテムの任意の組み合わせを指し、単独の場合も含む。例として、「ａ、ｂ、またはｃのうちの少なくとも１つ」は、ａ、ｂ、ｃ、ａとｂ、ａとｃ、ｂとｃ、およびａとｂとｃを包含するように意図される。
【００６４】
[0074]本発明に関連して説明される種々の例示の論理ブロック、モジュール、および回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルな論理素子（ＰＬＤ）、ディスクリートなゲートまたはトランジスタ論理回路、ディスクリートなハードウェアコンポーネント、あるいは本明細書に記載の機能を実行するように設計されたこれらの任意の組み合わせによって実施または実行されうる。汎用のプロセッサは、マイクロプロセッサでありうるが、代案においては、プロセッサが、任意の市販のプロセッサ、コントローラ、マイクロコントローラ、またはステートマシンでありうる。プロセッサは、例えばＤＳＰとマイクロプロセッサとの組み合わせ、複数のマイクロプロセッサ、ＤＳＰコアと併せた１つ以上のマイクロプロセッサ、または任意の他のこのような構成など、コンピュータデバイスの組み合わせとしても実現されうる。
【００６５】
[0075]本発明に関連して説明される方法またはアルゴリズムの各ステップは、ハードウェア、プロセッサによって実行されるソフトウェアモジュール、または両者の組み合わせにて直接的に具現化されうる。ソフトウェアモジュールは、技術的に公知の任意の形態の記憶媒体に位置することができる。使用可能な記憶媒体のいくつかの例として、ランダムアクセスメモリ（ＲＡＭ）、読み出し専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、などが挙げられる。ソフトウェアモジュールは、単一の命令または多数の命令を備えることができ、いくつかの異なるコード部分、異なるプログラム、および複数の記憶媒体に分散していてもよい。記憶媒体を、記憶媒体からの情報の読み出しおよび記録媒体への情報の書き込みがプロセッサにとって可能であるように、プロセッサへと接続することができる。代案においては、記憶媒体がプロセッサに一体化されうる。
【００６６】
[0076]本明細書に開示の方法は、記載の方法を達成するための１つ以上のステップまたは動作を備える。方法の各ステップおよび／または各動作を、特許請求の範囲の技術的範囲から離れることなく互いに入れ換えることができる。換言すると、ステップまたは動作について特定の順序が指定されない限り、特定のステップおよび／または動作の順序および／または使用を、特許請求の範囲の技術的範囲から外れることなく変更することができる。
【００６７】
[0077]上述の機能は、ハードウェア、ソフトウェア、ファームウェア、またはこれらの任意の組み合わせにおいて実現されうる。ハードウェアにて実現される場合、典型的なハードウェアの構成は、ワイヤレスノードにおける処理システムを備えることができる。処理システムを、バスアーキテクチャを備えて実現することができる。バスは、処理システムの個々の用途および全体としての設計の制約事項に応じて、任意の数の相互接続バスおよびブリッジを含むことができる。バスは、プロセッサ、機械で読み取ることができる媒体、およびバスインターフェイスを含む種々の回路を互いに接続することができる。バスインターフェイスを、とりわけネットワークアダプタをバスを介して処理システムへと接続するために使用することができる。ネットワークアダプタを、ＰＨＹ層の信号処理機能を実現するために使用することができる。ユーザ端末１２０（図１を参照）の場合、ユーザインターフェイス（例えば、キーパッド、表示装置、マウス、ジョイスティック、など）も、バスへと接続することができる。バスは、タイミングソース、周辺機器、電圧調整装置、電力管理回路、など、技術的に周知であり、したがってこれ以上は説明されない種々の他の回路も接続することができる。
【００６８】
[0078]プロセッサは、機械にとって読み取り可能な媒体に記憶されたソフトウェアの実行など、バスおよび全体的な処理の管理を担当することができる。プロセッサを、１つ以上の汎用および／または専用のプロセッサにて実現することができる。例として、マイクロプロセッサ、マイクロコントローラ、ＤＳＰプロセッサ、およびソフトウェアを実行することができる他の回路が挙げられる。ソフトウェアは、ソフトウェア、ファームウェア、ミドルウェア、マイクロコード、またはハードウェア記述言語、または他のやり方のいずれで呼ばれるにせよ、命令、データ、またはそれらの任意の組み合わせを意味するものと広く解釈されるべきである。機械にとって読み取り可能な媒体として、例えば、ＲＡＭ（ランダムアクセスメモリ）、フラッシュメモリ、ＲＯＭ（読み出し専用メモリ）、ＰＲＯＭ（プログラマブル読み出し専用メモリ）、ＥＰＲＯＭ（消去可能なプログラマブル読み出し専用メモリ）、ＥＥＰＲＯＭ（電気的に消去可能なプログラマブル読み出し専用メモリ）、レジスタ、磁気ディスク、光ディスク、ハードドライブ、または任意の他の適切な記憶媒体、あるいはこれらの任意の組み合わせを挙げることができる。機械にとって読み取り可能な媒体を、コンピュータプログラム製品に具現化することができる。コンピュータプログラム製品は、パッケージング材料を備えることができる。
【００６９】
[0079]ハードウェアの実施例においては、機械にとって読み取り可能な媒体が、プロセッサとは別の処理システムの一部であってよい。しかしながら、当業者であれば、機械にとって読み取り可能な媒体またはこの任意の一部分が、処理システムの外部にあってもよいことを、容易に理解できるであろう。例として、機械にとって読み取り可能な媒体として、いずれもバスインターフェイスを介してプロセッサによるアクセスが可能である伝送線、データによって変調された搬送波、および／またはワイヤレスノードとは別のコンピュータ製品を挙げることができる。これに代え、あるいはこれに加えて、機械にとって読み取り可能な媒体またはこの任意の一部分は、キャッシュおよび／または汎用レジスタファイルを有する場合など、プロセッサに一体化されてもよい。
【００７０】
[0080]処理システムを、プロセッサ機能をもたらす１つ以上のマイクロプロセッサと、機械にとって読み取り可能な媒体の少なくとも一部分をもたらす外部メモリとを有し、すべてが外部バスアーキテクチャを介して他の支持回路に接続される汎用の処理システムとして構成することができる。あるいは、処理システムを、プロセッサと、バスインターフェイスと、アクセス端末の場合のユーザインターフェイスと、支持回路と、機械にとって読み取り可能な媒体の少なくとも一部分とをただ１つのチップへと統合して備えるＡＳＩＣ（特定用途向け集積回路）にて実現でき、もしくは１つ以上のＦＰＧＡ（フィールドプログラマブルゲートアレイ）、ＰＬＤ（プログラマブル論理デバイス）、コントローラ、ステートマシン、ゲートロジック、ディスクリートなハードウェア構成要素、または任意の他の適切な回路、あるいは本明細書の各所に記載の種々の機能を実行することができる回路の任意の組み合わせにて実現することができる。当業者であれば、個々の用途および全体としてのシステムに課せられる全体的な設計の制約に応じて、処理システムの上述の機能を最も上手く実現するやり方を、理解できるであろう。
【００７１】
[0081]機械にとって読み取り可能な媒体は、いくつかのソフトウェアモジュールを備えることができる。ソフトウェアモジュールは、プロセッサによって実行されたときに処理システムに種々の機能を実行させる命令を含む。ソフトウェアモジュールは、送信モジュールおよび受信モジュールを含むことができる。各々のソフトウェアモジュールは、ただ１つの記憶装置に位置することができ、あるいは複数の記憶装置に分散されてもよい。例として、ソフトウェアモジュールを、引き金の事象が生じたときにハードドライブからＲＡＭへとロードすることができる。ソフトウェアモジュールの実行時に、プロセッサは、アクセス速度の向上のために命令の一部をキャッシュへとロードすることができる。したがって、１つ以上のキャッシュラインを、プロセッサによる実行のために汎用レジスタファイルへとロードすることができる。以下でのソフトウェアモジュールの機能への言及において、このような機能が、このソフトウェアモジュールからの命令の実行時にプロセッサによって実現されることを、理解できるであろう。
【００７２】
[0082]ソフトウェアにて実現される場合、これらの機能は、コンピュータ読取可能媒体上の１つ以上の命令またはコードとして記憶または伝達されうる。コンピュータ読取可能媒体は、或る場所から他の場所へのコンピュータプログラムの移動を促進する任意の媒体を含むコンピュータ記憶媒体および通信媒体の両方を含む。記憶媒体は、コンピュータによってアクセスされうる任意の利用可能な媒体でありうる。これらに限られるわけではないが、例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、あるいは所望のプログラムコードを命令またはデータ構造の形態で保持または記憶するために使用することができ、コンピュータによるアクセスが可能である任意の他の媒体を備えることができる。また、何らかの接続も、コンピュータ読取可能媒体と称することが妥当である。例えば、ソフトウェアが、ウェブサイト、サーバ、または他の離れた供給源から、同軸ケーブル、光ファイバケーブル、対より線、デジタル加入者線（ＤＳＬ）、あるいは赤外線（ＩＲ）、ワイヤレス、およびマイクロ波などのワイヤレス技術を使用して伝送される場合、同軸ケーブル、光ファイバケーブル、ツイストペア、ＤＳＬ、あるいは赤外線、ワイヤレス、およびマイクロ波などのワイヤレス技術は、媒体の定義に含まれる。本明細書において使用されるとき、ディスク（ｄｉｓｋおよびｄｉｓｃ）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ここでディスク（ｄｉｓｋ）が、通常はデータを磁気的に再生する一方で、ディスク（ｄｉｓｃ）は、データをレーザで光学的に再生する。したがって、いくつかの態様において、コンピュータ読取可能媒体は、一時的でないコンピュータ読取可能媒体（例えば、有形の媒体）を備えることができる。さらに、他の態様に関して、コンピュータ読取可能媒体は、一時的なコンピュータ読取可能媒体（例えば、信号）を備えることができる。上記の組み合わせもまた、コンピュータ読取可能媒体の範囲内に含まれるべきである。
【００７３】
[0083]したがって、特定の態様は、本明細書に提示の動作を実行するためのコンピュータプログラム製品を備えることができる。例えば、このようなコンピュータプログラム製品は、本明細書に記載の動作を実行するために１つ以上のプロセッサによって実行されることが可能である命令が記憶（および／または、符号化）されたコンピュータ読取可能媒体を備えることができる。特定の態様において、コンピュータプログラム製品は、パッケージング材料を含むことができる。
【００７４】
[0084]さらに、本明細書に記載の方法および技術を実行するためのモジュールおよび／または他の適切な手段を、適当であればユーザ端末および／または基地局によってダウンロードおよび／または他の方法で得ることができる。例えば、このような装置を、本明細書に記載の方法を実行するための手段の伝達を促進するためにサーバへと接続することができる。あるいは、本明細書に記載の種々の方法を、記憶手段（例えば、ＲＡＭ、ＲＯＭ、コンパクトディスク（ＣＤ）またはフロッピーディスクなどの物理的な記憶媒体、など）によってもたらすことができ、ユーザ端末および／または基地局は、記憶手段が装置へと接続され、あるいは提供されたときに、種々の方法を得ることができる。さらに、装置へと本明細書に記載の方法および技術をもたらすための任意の他の適切な技術を利用することができる。
【００７５】
[0085]特許請求の範囲が、上述した正確な構成および構成要素に限られないことを、理解すべきである。種々の改良、変更、および変種を、特許請求の範囲の技術的範囲から離れることなく、上述した方法および装置の構成、動作、および詳細において、行うことが可能である。
以下に、出願当初の特許請求の範囲に記載された発明を付記する。
［Ｃ１］
ワイヤレス通信のための装置であって、
前記装置においてローカルに情報のセットの一部分を記憶するように構成された処理システムと、
パケットを受け取るように構成された受信機と、ここで、前記パケットは前記情報のセットを使用して符号化されたデータフィールドを備える、
前記情報のセットの前記記憶された一部分と、前記パケットに含まれる追加の情報とを使用して、前記データフィールドを復号するように構成されたデコーダと
を備える装置。
［Ｃ２］
前記パケットは、ＭＡＣヘッダと、該ＭＡＣヘッダが通常のＭＡＣヘッダと比べてバイト数が少ないショートＭＡＣヘッダを備える旨のインジケーションとを備えている上記Ｃ１に記載の装置。
［Ｃ３］
前記データフィールドを符号化するために使用される前記情報のセットは、カウンター暗号モードプロトコル（ＣＣＭＰ）情報を備えており、
前記処理システムは、前記データフィールドを符号化するために使用される前記ＣＣＭＰ情報を、前記パケットのＣＣＭＰヘッダまたは以前に受け取ったパケットのＣＣＭＰヘッダのうちの少なくとも１つから取得し、前記データフィールドを復号するために、取得したＣＣＭＰ情報を使用するように構成されている上記Ｃ１に記載の装置。
［Ｃ４］
前記処理システムは、
前記データフィールドを符号化するために使用される前記ＣＣＭＰ情報の第１の部分を、前記パケットに含まれる圧縮されたＣＣＭＰヘッダから取得し、
前記データフィールドを符号化するために使用される前記ＣＣＭＰ情報の第２の部分を、前記圧縮されたＣＣＭＰヘッダには含まれていない少なくとも何らかのＣＣＭＰ情報を有する以前に受け取ったパケットに含まれるフルＣＣＭＰヘッダから取得する
ように構成されている上記Ｃ３に記載の装置。
［Ｃ５］
前記処理システムは、前記ＣＣＭＰ情報の前記一部分を、管理フレームの交換を通じて取得するようにさらに構成されている上記Ｃ３に記載の装置。
［Ｃ６］
前記処理システムは、前記ＣＣＭＰ情報の前記一部分を、フルＣＣＭＰヘッダを有する以前に受け取ったパケットを通じて取得するようにさらに構成されている上記Ｃ３に記載の装置。
［Ｃ７］
前記ＣＣＭＰ情報の前記記憶された一部分は、前記データフィールドを暗号化するために使用されるパケット番号の第１の部分を備えており、前記パケット番号は、各送信によりインクリメントされる、上記Ｃ３に記載の装置。
［Ｃ８］
前記パケットは、前記パケット番号の第２の部分を有するＣＣＭＰヘッダを備えている上記Ｃ７に記載の装置。
［Ｃ９］
前記処理システムは、前記装置に記憶された前記パケット番号の前記第１の部分と、ＭＡＣヘッダに含まれるシーケンス番号とにもとづいて、前記パケット番号を生成するように構成されている上記Ｃ７に記載の装置。
［Ｃ１０］
前記装置に記憶された前記パケット番号の前記第１の部分は、前記パケット番号の最上位ビットを備えており、
前記処理システムは、前記パケット番号のロールオーバを検出し、検出に応答して前記装置に記憶された前記パケット番号の前記最上位ビットを更新するように構成されている上記Ｃ７に記載の装置。
［Ｃ１１］
前記処理システムは、
ＣＣＭＰ情報の更新されたバージョンを有する後続のパケットを受け取り、前記ＣＣＭＰ情報の前記記憶された一部分を更新する
ようにさらに構成されている上記Ｃ３に記載の装置。
［Ｃ１２］
前記パケットは、予備のバイトを欠くＣＣＭＰヘッダを備え、
前記処理システムは、前記ＣＣＭＰヘッダに含まれる情報および前記記憶された情報を使用して前記データフィールドを復号する上記Ｃ３に記載の装置。
［Ｃ１３］
前記処理システムは、記憶されたキーＩＤを使用して前記データフィールドを復号する上記Ｃ１に記載の装置。
［Ｃ１４］
前記受信機は、管理フレームの交換またはフルＣＣＭＰヘッダによって前記記憶されたキーＩＤを受け取るように構成されている上記Ｃ１３に記載の装置。
［Ｃ１５］
ワイヤレス通信のための装置であって、
情報のセットを使用してデータフィールドを符号化するように構成された処理システムと、
前記情報のセットの一部分を別の装置へとシグナリングし、前記符号化されたデータフィールドを有するパケットを前記別の装置へと送信するように構成された送信機と
を備えており、
前記パケットは、前記データフィールドを符号化するために使用される前記情報のセットの一部を欠いている、装置。
［Ｃ１６］
前記パケットは、ＭＡＣヘッダと、該ＭＡＣヘッダが通常のＭＡＣヘッダと比べてバイト数が少ないショートＭＡＣヘッダを備える旨のインジケーションとを備えている上記Ｃ１５に記載の装置。
［Ｃ１７］
前記データフィールドを符号化するために使用される前記情報のセットは、カウンター暗号モードプロトコル（ＣＣＭＰ）情報を備えており、
前記送信機は、前記データフィールドを符号化するために使用される前記ＣＣＭＰ情報を、前記パケットのＣＣＭＰヘッダまたは以前に送信されたパケットのＣＣＭＰヘッダのうちの少なくとも１つを通じて、前記別の装置へと提供するように構成されている上記Ｃ１５に記載の装置。
［Ｃ１８］
前記送信機は、
前記データフィールドを符号化するために使用される前記ＣＣＭＰ情報の第１の部分を、前記パケットに含まれる圧縮されたＣＣＭＰヘッダにて前記別の装置へと提供し、
前記データフィールドを符号化するために使用される前記ＣＣＭＰ情報の第２の部分を、前記圧縮されたＣＣＭＰヘッダには含まれていない少なくとも何らかのＣＣＭＰ情報を有する以前に受け取ったパケットに含まれるフルＣＣＭＰヘッダにて前記別の装置へと提供する
ように構成されている上記Ｃ１７に記載の装置。
［Ｃ１９］
前記送信機は、前記ＣＣＭＰ情報の前記一部分を管理フレームの交換を通じてシグナリングするようにさらに構成されている上記Ｃ１７に記載の装置。
［Ｃ２０］
前記送信機は、前記ＣＣＭＰ情報の前記一部分をフルＣＣＭＰヘッダを有する以前に送信されたパケットによってシグナリングするようにさらに構成されている上記Ｃ１７に記載の装置。
［Ｃ２１］
前記情報のセットの前記シグナリングされた一部分は、前記データフィールドを符号化するために使用されるパケット番号の第１の部分を備えており、前記パケット番号は、各送信によりインクリメントされる、上記Ｃ１５に記載の装置。
［Ｃ２２］
前記パケットは、前記パケット番号の第２の部分を有するＣＣＭＰヘッダを備えている上記Ｃ２１に記載の装置。
［Ｃ２３］
前記処理システムは、
ＣＣＭＰ情報の更新されたバージョンを有する後続のパケットを送信する
ようにさらに構成されている上記Ｃ１７に記載の装置。
［Ｃ２４］
前記パケットは、予備のバイトを欠くＣＣＭＰヘッダを備えている上記Ｃ１７に記載の装置。
［Ｃ２５］
前記処理システムは、キーＩＤを使用して前記データフィールドを符号化する上記Ｃ１５に記載の装置。
［Ｃ２６］
前記送信機は、管理フレームの交換またはフルＣＣＭＰヘッダを通じて前記別の装置へと前記キーＩＤを送信するように構成されている上記Ｃ２５に記載の装置。
［Ｃ２７］
ワイヤレス通信のための装置であって、
前記装置においてローカルに情報のセットの一部分を記憶するための手段と、
パケットを受け取るための手段と、ここで、前記パケットは前記情報のセットを使用して符号化されたデータフィールドを備える、
前記情報のセットの前記記憶された一部分と、前記パケットに含まれる追加の情報とを使用して、前記データフィールドを復号するための手段と
を備える装置。
［Ｃ２８］
前記パケットは、ＭＡＣヘッダと、該ＭＡＣヘッダが通常のＭＡＣヘッダと比べてバイト数が少ないショートＭＡＣヘッダを備える旨のインジケーションとを備えている上記Ｃ２７に記載の装置。
［Ｃ２９］
前記データフィールドを符号化するために使用される前記情報のセットは、カウンター暗号モードプロトコル（ＣＣＭＰ）情報を備えており、
前記装置は、前記データフィールドを符号化するために使用される前記ＣＣＭＰ情報を、前記パケットのＣＣＭＰヘッダまたは以前に受け取ったパケットのＣＣＭＰヘッダのうちの少なくとも１つから取得し、前記データフィールドを復号するために、取得したＣＣＭＰ情報を使用するための手段をさらに備えている、上記Ｃ２７に記載の装置。
［Ｃ３０］
前記取得するための手段は、
前記データフィールドを符号化するために使用される前記ＣＣＭＰ情報の第１の部分を、前記パケットに含まれる圧縮されたＣＣＭＰヘッダから取得し、
前記データフィールドを符号化するために使用される前記ＣＣＭＰ情報の第２の部分を、前記圧縮されたＣＣＭＰヘッダには含まれていない少なくとも何らかのＣＣＭＰ情報を有する以前に受け取ったパケットに含まれるフルＣＣＭＰヘッダから取得する
ように構成されている上記Ｃ２９に記載の装置。
［Ｃ３１］
前記取得するための手段は、前記ＣＣＭＰ情報の前記一部分を管理フレームの交換を通じて取得するように構成されている上記Ｃ２９に記載の装置。
［Ｃ３２］
前記取得するための手段は、前記ＣＣＭＰ情報の前記一部分をフルＣＣＭＰヘッダを有する以前に受け取ったパケットを通じて取得するように構成されている上記Ｃ２９に記載の装置。
［Ｃ３３］
前記ＣＣＭＰ情報の前記記憶された一部分は、前記データフィールドを暗号化するために使用されるパケット番号の第１の部分を備えており、前記パケット番号は、各送信によりインクリメントされる、上記Ｃ２９に記載の装置。
［Ｃ３４］
前記パケットは、前記パケット番号の第２の部分を有するＣＣＭＰヘッダを備えている上記Ｃ３３に記載の装置。
［Ｃ３５］
前記復号するための手段は、前記装置に記憶された前記パケット番号の前記第１の部分と、ＭＡＣヘッダに含まれるシーケンス番号とにもとづいて、前記パケット番号を生成するように構成されている上記Ｃ３３に記載の装置。
［Ｃ３６］
前記装置に記憶された前記パケット番号の前記第１の部分は、前記パケット番号の最上位ビットを備えており、
前記処理システムは、前記パケット番号のロールオーバを検出し、検出に応答して前記装置に記憶された前記パケット番号の前記最上位ビットを更新するように構成されている上記Ｃ３３に記載の装置。
［Ｃ３７］
ＣＣＭＰ情報の更新されたバージョンを有する後続のパケットを受け取るための手段と、
前記ＣＣＭＰ情報の前記記憶された一部分を更新するための手段と
をさらに備える上記Ｃ２９に記載の装置。
［Ｃ３８］
前記パケットは、予備のバイトを欠くＣＣＭＰヘッダを備え、
前記復号するための手段は、前記ＣＣＭＰヘッダに含まれる情報および前記記憶された情報を使用して前記データフィールドを復号するように構成されている上記Ｃ２９に記載の装置。
［Ｃ３９］
前記復号するための手段は、記憶されたキーＩＤを使用して前記データフィールドを復号するように構成されている上記Ｃ２７に記載の装置。
［Ｃ４０］
管理フレームの交換またはフルＣＣＭＰヘッダによって前記記憶されたキーＩＤを受け取るための手段
をさらに備える上記Ｃ３９に記載の装置。
［Ｃ４１］
ワイヤレス通信のための装置であって、
情報のセットを使用してデータフィールドを符号化するための手段と、
前記情報のセットの一部分を別の装置へとシグナリングし、前記符号化されたデータフィールドを有するパケットを前記別の装置へと送信するための手段と
を備えており、
前記パケットは、前記データフィールドを符号化するために使用される前記情報のセットの一部を欠いている、装置。
［Ｃ４２］
前記パケットは、ＭＡＣヘッダと、該ＭＡＣヘッダが通常のＭＡＣヘッダと比べてバイト数が少ないショートＭＡＣヘッダを備える旨のインジケーションとを備えている上記Ｃ４１に記載の装置。
［Ｃ４３］
前記データフィールドを符号化するために使用される前記情報のセットは、カウンター暗号モードプロトコル（ＣＣＭＰ）情報を備えており、
前記シグナリングするための手段は、前記データフィールドを符号化するために使用される前記ＣＣＭＰ情報を、前記パケットのＣＣＭＰヘッダまたは以前に送信されたパケットのＣＣＭＰヘッダのうちの少なくとも１つを通じて、前記別の装置へと提供するように構成されている上記Ｃ４１に記載の装置。
［Ｃ４４］
前記シグナリングするための手段は、
前記データフィールドを符号化するために使用される前記ＣＣＭＰ情報の第１の部分を、前記パケットに含まれる圧縮されたＣＣＭＰヘッダにて前記別の装置へと提供し、
前記データフィールドを符号化するために使用される前記ＣＣＭＰ情報の第２の部分を、前記圧縮されたＣＣＭＰヘッダには含まれていない少なくとも何らかのＣＣＭＰ情報を有する以前に受け取ったパケットに含まれるフルＣＣＭＰヘッダにて前記別の装置へと提供する
ように構成されている上記Ｃ４３に記載の装置。
［Ｃ４５］
前記シグナリングするための手段は、前記ＣＣＭＰ情報の前記一部分を管理フレームの交換を通じてシグナリングするようにさらに構成されている上記Ｃ４３に記載の装置。
［Ｃ４６］
前記シグナリングするための手段は、前記ＣＣＭＰ情報の前記一部分をフルＣＣＭＰヘッダを有する以前に送信されたパケットによってシグナリングするようにさらに構成されている上記Ｃ４３に記載の装置。
［Ｃ４７］
前記情報のセットの前記シグナリングされた一部分は、前記データフィールドを符号化するために使用されるパケット番号の第１の部分を備えており、前記パケット番号は、各送信によりインクリメントされる、上記Ｃ４１に記載の装置。
［Ｃ４８］
前記パケットは、前記パケット番号の第２の部分を有するＣＣＭＰヘッダを備えている上記Ｃ４７に記載の装置。
［Ｃ４９］
ＣＣＭＰ情報の更新されたバージョンを有する後続のパケットを送信するための手段
をさらに備える上記Ｃ４３に記載の装置。
［Ｃ５０］
前記パケットは、予備のバイトを欠くＣＣＭＰヘッダを備えている上記Ｃ４３に記載の装置。
［Ｃ５１］
前記符号化するための手段は、キーＩＤを使用して前記データフィールドを符号化するように構成されている上記Ｃ４１に記載の装置。
［Ｃ５２］
前記シグナリングするための手段は、管理フレームの交換またはフルＣＣＭＰヘッダを通じて前記別の装置へと前記キーＩＤを送信するように構成されている上記Ｃ５１に記載の装置。
［Ｃ５３］
装置によるワイヤレス通信のための方法であって、
前記装置においてローカルに情報のセットの一部分を記憶することと、
パケットを受け取ることと、ここで、前記パケットは前記情報のセットを使用して符号化されたデータフィールドを備える、
前記情報のセットの前記記憶された一部分と、前記パケットに含まれる追加の情報とを使用して、前記データフィールドを復号することと
を備える方法。
［Ｃ５４］
前記パケットは、ＭＡＣヘッダと、該ＭＡＣヘッダが通常のＭＡＣヘッダと比べてバイト数が少ないショートＭＡＣヘッダを備える旨のインジケーションとを備えている上記Ｃ５３に記載の方法。
［Ｃ５５］
前記データフィールドを符号化するために使用される前記情報のセットは、カウンター暗号モードプロトコル（ＣＣＭＰ）情報を備えており、
当該方法は、前記データフィールドを符号化するために使用される前記ＣＣＭＰ情報を、前記パケットのＣＣＭＰヘッダまたは以前に受け取ったパケットのＣＣＭＰヘッダのうちの少なくとも１つから取得し、前記データフィールドを復号するために、取得したＣＣＭＰ情報を使用することをさらに備える上記Ｃ５３に記載の方法。
［Ｃ５６］
前記取得することは、
前記データフィールドを符号化するために使用される前記ＣＣＭＰ情報の第１の部分を、前記パケットに含まれる圧縮されたＣＣＭＰヘッダから取得することと、
前記データフィールドを符号化するために使用される前記ＣＣＭＰ情報の第２の部分を、前記圧縮されたＣＣＭＰヘッダには含まれていない少なくとも何らかのＣＣＭＰ情報を有する以前に受け取ったパケットに含まれるフルＣＣＭＰヘッダから取得することと
を含む上記Ｃ５５に記載の方法。
［Ｃ５７］
前記取得することは、前記ＣＣＭＰ情報の前記一部分を管理フレームの交換を通じて取得することを備えている上記Ｃ５５に記載の方法。
［Ｃ５８］
前記取得することは、前記ＣＣＭＰ情報の前記一部分をフルＣＣＭＰヘッダを有する以前に受け取ったパケットを通じて取得することを備えている上記Ｃ５５に記載の方法。
［Ｃ５９］
前記ＣＣＭＰ情報の前記記憶された一部分は、前記データフィールドを暗号化するために使用されるパケット番号の第１の部分を備えており、前記パケット番号は、各送信によりインクリメントされる、上記Ｃ５５に記載の方法。
［Ｃ６０］
前記パケットは、前記パケット番号の第２の部分を有するＣＣＭＰヘッダを備えている上記Ｃ５９に記載の方法。
［Ｃ６１］
前記装置に記憶された前記パケット番号の前記第１の部分と、ＭＡＣヘッダに含まれるシーケンス番号とにもとづいて、前記パケット番号を生成することをさらに備える上記Ｃ５９に記載の方法。
［Ｃ６２］
前記装置に記憶された前記パケット番号の前記第１の部分は、前記パケット番号の最上位ビットを備えており、
当該方法は、前記パケット番号のロールオーバを検出し、検出に応答して前記装置に記憶された前記パケット番号の前記最上位ビットを更新することをさらに備えている上記Ｃ５９に記載の方法。
［Ｃ６３］
ＣＣＭＰ情報の更新されたバージョンを有する後続のパケットを受け取ることと、
前記ＣＣＭＰ情報の前記記憶された一部分を更新することと
をさらに備える上記Ｃ５５に記載の方法。
［Ｃ６４］
前記パケットは、予備のバイトを欠くＣＣＭＰヘッダを備え、
前記復号することは、前記ＣＣＭＰヘッダに含まれる情報および前記記憶された情報を使用して前記データフィールドを復号することを備える上記Ｃ５５に記載の方法。
［Ｃ６５］
前記復号することは、記憶されたキーＩＤを使用して前記データフィールドを復号することを備える上記Ｃ５３に記載の方法。
［Ｃ６６］
管理フレームの交換またはフルＣＣＭＰヘッダによって前記記憶されたキーＩＤを受け取ること
をさらに備える上記Ｃ６５に記載の方法。
［Ｃ６７］
装置によるワイヤレス通信のための方法であって、
情報のセットを使用してデータフィールドを符号化することと、
前記情報のセットの一部分を別の装置へとシグナリングし、前記符号化されたデータフィールドを有するパケットを前記別の装置へと送信することと
を備えており、
前記パケットは、前記データフィールドを符号化するために使用される前記情報のセットの一部を欠いている、方法。
［Ｃ６８］
前記パケットは、ＭＡＣヘッダと、該ＭＡＣヘッダが通常のＭＡＣヘッダと比べてバイト数が少ないショートＭＡＣヘッダを備える旨のインジケーションとを備えている上記Ｃ６７に記載の方法。
［Ｃ６９］
前記データフィールドを符号化するために使用される前記情報のセットは、カウンター暗号モードプロトコル（ＣＣＭＰ）情報を備えており、
前記シグナリングすることは、前記データフィールドを符号化するために使用される前記ＣＣＭＰ情報を、前記パケットのＣＣＭＰヘッダまたは以前に送信されたパケットのＣＣＭＰヘッダのうちの少なくとも１つを通じて、前記別の装置へと提供することを備えている上記Ｃ６７に記載の方法。
［Ｃ７０］
前記シグナリングすることは、
前記データフィールドを符号化するために使用される前記ＣＣＭＰ情報の第１の部分を、前記パケットに含まれる圧縮されたＣＣＭＰヘッダにて前記別の装置へと提供することと、
前記データフィールドを符号化するために使用される前記ＣＣＭＰ情報の第２の部分を、前記圧縮されたＣＣＭＰヘッダには含まれていない少なくとも何らかのＣＣＭＰ情報を有する以前に受け取ったパケットに含まれるフルＣＣＭＰヘッダにて前記別の装置へと提供することと
を備えている上記Ｃ６９に記載の方法。
［Ｃ７１］
前記シグナリングすることは、前記ＣＣＭＰ情報の前記一部分を管理フレームの交換を通じてシグナリングすることを備えている上記Ｃ６９に記載の方法。
［Ｃ７２］
前記シグナリングすることは、前記ＣＣＭＰ情報の前記一部分を、フルＣＣＭＰヘッダを有する以前に送信されたパケットによってシグナリングすることを備えている上記Ｃ６９に記載の方法。
［Ｃ７３］
前記情報のセットの前記シグナリングされた一部分は、前記データフィールドを符号化するために使用されるパケット番号の第１の部分を備えており、前記パケット番号は、各送信によりインクリメントされる、上記Ｃ６７に記載の方法。
［Ｃ７４］
前記パケットは、前記パケット番号の第２の部分を有するＣＣＭＰヘッダを備えている上記Ｃ７３に記載の方法。
［Ｃ７５］
ＣＣＭＰ情報の更新されたバージョンを有する後続のパケットを送信すること
をさらに備える上記Ｃ６９に記載の方法。
［Ｃ７６］
前記パケットは、予備のバイトを欠くＣＣＭＰヘッダを備えている上記Ｃ６９に記載の方法。
［Ｃ７７］
前記符号化することは、キーＩＤを使用して前記データフィールドを符号化することを備える上記Ｃ６７に記載の方法。
［Ｃ７８］
前記シグナリングすることは、管理フレームの交換またはフルＣＣＭＰヘッダを通じて前記別の装置へと前記キーＩＤを送信することを備えている上記Ｃ７７に記載の方法。
［Ｃ７９］
装置によるワイヤレス通信のためのコンピュータプログラム製品であって、
命令が記憶されたコンピュータ読取可能媒体を備えており、
前記命令は、
前記装置においてローカルに情報のセットの一部分を記憶することと、
パケットを受け取ることと、ここで、前記パケットは前記情報のセットを使用して符号化されたデータフィールドを備える、
前記情報のセットの前記記憶された一部分と、前記パケットに含まれる追加の情報とを使用して、前記データフィールドを復号することと
を行うように実行可能である、コンピュータプログラム製品。
［Ｃ８０］
装置によるワイヤレス通信のためのコンピュータプログラム製品であって、
命令が記憶されたコンピュータ読取可能媒体を備えており、
前記命令は、
情報のセットを使用してデータフィールドを符号化することと、
前記情報のセットの一部分を別の装置へとシグナリングすることと、
前記符号化されたデータフィールドを有するパケットを前記別の装置へと送信することと
を行うように実行可能であり、
前記パケットは、前記データフィールドを符号化するために使用される前記情報のセットの一部を欠いている、コンピュータプログラム製品。
［Ｃ８１］
局であって、
少なくとも１つのアンテナと、
前記局においてローカルに情報のセットの一部分を記憶するように構成された処理システムと、
前記少なくとも１つのアンテナを介してパケットを受け取るように構成された受信機と、ここで、前記パケットは前記情報のセットを使用して符号化されたデータフィールドを備える、
前記情報のセットの前記記憶された一部分と、前記パケットに含まれる追加の情報とを使用して、前記データフィールドを復号するように構成されたデコーダと
を備える局。
［Ｃ８２］
アクセスポイントであって、
少なくとも１つのアンテナと、
情報のセットを使用してデータフィールドを符号化するように構成された処理システムと、
前記情報のセットの一部分を前記少なくとも１つのアンテナを介して局へとシグナリングし、前記符号化されたデータフィールドを有するパケットを前記局へと送信するように構成された送信機と
を備えており、
前記パケットは、前記データフィールドを符号化するために使用される前記情報のセットの一部を欠いている、アクセスポイント。
【図１】
0006367221.tif 000002
【図２】
0006367221.tif 000003
【図３】
0006367221.tif 000004
【図４】
0006367221.tif 000005
【図５】
0006367221.tif 000006
【図５Ａ】
0006367221.tif 000007
【図６】
0006367221.tif 000008
【図６Ａ】
0006367221.tif 000009
【図７】
0006367221.tif 000010
【図８】
0006367221.tif 000011
【図９】
0006367221.tif 000012